(57)【要約】      （修正有）【課題】大型化せずともセキュリティを確保し得るオートロック機構及び媒体処理装置を提供する。【解決手段】一時保留部が装着位置から引出方向にスライドさせられると、スライド範囲の途中で、ラックギア２４Ｂがケース３０から露出している第２ギア３５と当接して第２ギア３５を他方向に回転させようとするが、第２ギア３５の回転が一方向に制限されていて回転しないことにより、一時保留部がそれ以上引出方向に可動しないようにロックし、また、一時保留部が引出完了位置から装着方向にスライドさせられると、スライド範囲の途中で、ラックギア２４Ｂが、回転が一方向に制限されている第２ギア３５に当接して第２ギア３５を一方向に回転させることにより、一時保留部が装着位置へとスライドしてオートロックするようにした。【選択図】図５
2015045149.tif 000002
【特許請求の範囲】
【請求項１】
本体部と当該本体部に対して所定方向及びその逆方向に可動可能な可動部とをロックするオートロック機構であり、
上記本体部側に回転可能に固定されたギアと、
上記本体部側に設けられ、ギアの歯間に入り込んでギアの回転を一方向に制限する爪部と、
上記本体部側に設けられ、正常な方法で開錠されると、上記爪部を可動させることで、ギアの歯間に入り込んでいた爪部を歯間に入り込まない状態にして上記ギアの回転を他方向にも回転できるようにする錠部と、
上記ギアの一部のみを露出させるようにして、上記爪部、上記錠部及び上記ギアを覆うケースと、
上記可動部側に固定され、当該可動部が可動範囲の途中に位置するときに、上記本体部側のケースから露出するギアの一部と係合する係合部と、
を有し、
上記可動部が可動範囲の一端側から上記所定方向に可動させられると、可動範囲の途中で、上記係合部が上記ギアと係合して当該ギアを他方向に回転させようとするが、当該ギアの回転が一方向に制限されていて回転しないことにより、上記可動部がそれ以上所定方向に可動しないようにロックし、
また、上記可動部が可動範囲の他端側から上記所定方向とは逆方向に可動させられると、可動範囲の途中で、上記係合部が、回転が一方向に制限されている上記ギアと係合して当該ギアを一方向に回転させることにより、上記可動部が可動範囲の一端側に可動してオートロックする
オートロック機構。
【請求項２】
上記ギアの歯間に入り込む方向に上記爪部を付勢する付勢部をさらに有する
請求項１に記載のオートロック機構。
【請求項３】
上記本体部側に回転可能に固定された互いに噛み合う複数のギアを有し、
上記爪部は、上記複数のギアのうちの第１ギアの歯間に入り込み、
上記第１ギアとは異なる第２ギアの一部が上記ケースから露出する
請求項１に記載のオートロック機構。
【請求項４】
上記ギアと上記爪部と上記錠部は、上記ケース内で一列に並ぶように配置されている
請求項１に記載のオートロック機構。
【請求項５】
上記係合部は、上記ギアと噛み合うラックギアである
請求項１に記載のオートロック機構。
【請求項６】
上記係合部は、上記ギアに当接する板金部材である
請求項１に記載のオートロック機構。
【請求項７】
上記係合部が、上記可動部の可動範囲に沿って設けられた溝内に設けられ、
さらに、上記溝内に、上記ケースから露出するギアの一部が入り込み、当該ギアの一部が、上記可動部の可動時に溝内を移動し、移動する途中で上記溝内に設けられている係合部と係合する
請求項１に記載のオートロック機構。
【請求項８】
本体部と当該本体部に対して所定方向及びその逆方向に可動可能な可動部とをロックするオートロック機構であり、
上記可動部側に回転可能に固定されたギアと、
上記可動部側に設けられ、ギアの歯間に入り込んでギアの回転を一方向に制限する爪部と、
上記可動部側に設けられ、正常な方法で開錠されると、上記爪部を可動させることで、ギアの歯間に入り込んでいた爪部を歯間に入り込まない状態にして上記ギアの回転を他方向にも回転できるようにする錠部と、
上記ギアの一部のみを露出させるようにして、上記爪部、上記錠部及び上記ギアを覆うケースと、
上記本体部側に固定され、上記可動部が可動範囲の途中に位置するときに、可動部側のケースから露出するギアの一部と係合する係合部と、
を有し、
上記可動部が可動範囲の一端側から上記所定方向に可動させられると、可動範囲の途中で、上記係合部が上記ギアと係合して当該ギアを他方向に回転させようとするが、当該ギアの回転が一方向に制限されていて回転しないことにより、上記可動部がそれ以上所定方向に可動しないようにロックし、
また、上記可動部が可動範囲の他端側から上記所定方向とは逆方向に可動させられると、可動範囲の途中で、上記係合部が、回転が一方向に制限されている上記ギアと係合して当該ギアを一方向に回転させることにより、上記可動部が可動範囲の一端側に可動してオートロックする
オートロック機構。
【請求項９】
本体部と当該本体部に対して所定方向及びその逆方向に可動可能な可動部とをロックするオートロック機構と、
媒体を処理する媒体処理部と、
を有し、
上記オートロック機構は、
上記本体部側に回転可能に固定されたギアと、
上記本体部側に設けられ、ギアの歯間に入り込んでギアの回転を一方向に制限する爪部と、
上記本体部側に設けられ、正常な方法で開錠されると、上記爪部を可動させることで、ギアの歯間に入り込んでいた爪部を歯間に入り込まない状態にして上記ギアの回転を他方向にも回転できるようにする錠部と、
上記ギアの一部のみを露出させるようにして、上記爪部、上記錠部及び上記ギアを覆うケースと、
上記可動部側に固定され、当該可動部が可動範囲の途中に位置するときに、本体部側のケースから露出するギアの一部と係合する係合部と、
を有し、
上記可動部が可動範囲の一端側から上記所定方向に可動させられると、可動範囲の途中で、上記係合部が上記ギアと係合して当該ギアを他方向に回転させようとするが、当該ギアの回転が一方向に制限されていて回転しないことにより、上記可動部がそれ以上所定方向に可動しないようにロックし、
また、上記可動部が可動範囲の他端側から上記所定方向とは逆方向に可動させられると、可動範囲の途中で、上記係合部が、回転が一方向に制限されている上記ギアと係合して当該ギアを一方向に回転させることにより、上記可動部が可動範囲の一端側に可動してオートロックする
媒体処理装置。
【発明の詳細な説明】
【技術分野】
【０００１】
本発明は、オートロック機構及び媒体処理装置に関するものであり、例えば、媒体として紙幣を扱う紙幣処理装置に設けられるオートロック機構に適用して好適なものである。
【背景技術】
【０００２】
従来、金融機関の職員又は顧客の操作に基づいて紙幣の入出金を行う紙幣処理装置は、メンテナンスのし易さなどを考慮して各部がユニット化され、各ユニットを装置本体から取り外すことができるようになっている。
【０００３】
また、この紙幣処理装置では、誰でも簡単にユニットを取り外すことができてしまうとセキュリティ上好ましくない為、ロック機構が設けられ、各ユニットを取り外すことのできる人物（すなわちロックを解除できる人物）を制限するようになっている。
【０００４】
ここで、図１１に、従来のオートロック機構１００を示す。この図１１に示すように、オートロック機構１００は、トップカバー１０１側に、トップカバー１０１に固定されたロックレバーシャフト１０２と、このロックレバーシャフト１０２を支点として回転可能なロックレバー１０３が設けられている。ロックレバー１０３は、図示しないバネなどの付勢部材によって、矢印Ｆで示す回転方向に付勢されている。
【０００５】
また、装置本体１０４側には、ロックレバー１０３の先端と係合するロックシャフト１０５が、装置本体１０４の所定位置に固定されている。
【０００６】
このオートロック機構１００では、図１１（Ａ）に示すように、トップカバー１０１が開いている状態から、矢印Ｇで示す方向に閉じていくと、ロックレバー１０３の先端がロックシャフト１０５に接触して押されることで、ロックレバー１０３が付勢力に逆らって矢印Ｆで示す回転方向とは逆方向に回転する。
【０００７】
その後、さらにトップカバー１０１を矢印Ａで示す方向に閉じていき、図１１（Ｂ）に示すように、トップカバー１０１が完全に閉じると、このときロックレバー１０３の先端が、ロックシャフト１０５を乗り越え、矢印Ｆで示す回転方向に付勢されていることにより、ロックシャフト１０５に引っ掛かる。これにより、トップカバー１０１が、装置本体１０４にロックされる。
【０００８】
このように、オートロック機構１００は、トップカバー１０１を閉めるだけでロックがかかるようになっている（例えば特許文献１参照）。
【先行技術文献】
【特許文献】
【０００９】
【特許文献１】特開２０１２−１７４１６１号公報
【発明の概要】
【発明が解決しようとする課題】
【００１０】
ところで、上述したオートロック機構１００では、トップカバー１０１を完全に閉じたときのみロックがかかるようになっていて、図１１（Ａ）で示すトップカバー１０１を開く途中（すなわち可動範囲の途中）でロックをかけることはできない。
【００１１】
一方で、紙幣処理装置では、その運用方法にもよるが、トップカバー１０１などの可動部を可動範囲の途中でもロックできるようにすることが望ましい。
【００１２】
そこで、例えば、上述したロック機構１００の構成に、可動範囲の途中でもロック可能となる構成を追加したとする。
【００１３】
しかしながら、この場合、トップカバー１０１を開く途中でロックすると、ロックレバー１０３の一部が剥き出しとなり、外部からアクセス可能な状態となる。そしてこのとき、例えば、外部から棒状の物でロックレバー１０３を押すなどしてロックレバー１０３が回転させられると、ロックが不正に解除されてしまう。
【００１４】
そこで、ロックレバー１０３が剥き出しとならないように、ロックレバー１０３全体を常に覆うカバーを別途設けることも考えられるが、この場合、機構全体が大型化してしまう。
【００１５】
よって、ロック機構の一部が剥き出しで外部からアクセス可能な状態のときでも、ロックを不正に解除できないようにしたオートロック機構が必要であり、このようなオートロック機構であれば、大型化せずともセキュリティを確保できると考えられる。
【００１６】
本発明は以上の点を考慮してなされたもので、大型化せずともセキュリティを確保し得るオートロック機構及び媒体処理装置を提案しようとするものである。
【課題を解決するための手段】
【００１７】
かかる課題を解決するため本発明においては、本体部と当該本体部に対して所定方向及びその逆方向に可動可能な可動部とをロックするオートロック機構に、本体部側に回転可能に固定されたギアと、本体部側に設けられ、ギアの歯間に入り込んでギアの回転を一方向に制限する爪部と、本体部側に設けられ、正常な方法で開錠されると、爪部を可動させることで、ギアの歯間に入り込んでいた爪部を歯間に入り込まない状態にしてギアの回転を他方向にも回転できるようにする錠部と、ギアの一部のみを露出させ、爪部及び錠部を覆うケースと、可動部側に固定され、当該可動部が可動範囲の途中に位置するときに、本体部側のケースから露出するギアの一部と係合する係合部とを設け、可動部が可動範囲の一端側から所定方向に可動させられると、可動範囲の途中で、係合部がギアと係合して当該ギアを他方向に回転させようとするが、当該ギアの回転が一方向に制限されていて回転しないことにより、可動部がそれ以上所定方向に可動しないようにロックし、また、可動部が可動範囲の他端側から所定方向とは逆方向に可動させられると、可動範囲の途中で、係合部が、回転が一方向に制限されているギアと係合して当該ギアを一方向に回転させることにより、可動部が可動範囲の一端側に可動してオートロックするようにした。
【００１８】
これにより、例えば、可動部が可動範囲の途中でロックされているときに、ケースから一部が露出しているギアを他方向に回転させてロックを不正に解除しようとしても、ギアの回転が一方向に制限されている為解除されることはない。
【発明の効果】
【００１９】
本発明によれば、可動部が可動範囲の途中でロックされているときに、ケースから一部が露出しているギアを他方向に回転させてロックを不正に解除しようとしても、ギアの回転が一方向に制限されている為不正に解除されることはなく、これにより、機構全体を覆うようなカバーがなくとも不正にロックが解除されることを防止できる。かくして、大型化せずともセキュリティを確保できるオートロック機構及び媒体処理装置を実現できる。
【図面の簡単な説明】
【００２０】
【図１】現金処理装置の設置例を示す略線図である。
【図２】現金処理装置の内部構成を示す略線図である。
【図３】一時保留部を途中までスライドさせた様子を示す略線図である。
【図４】一時保留部を最後までスライドさせた様子を示す略線図である。
【図５】第２ロック機構の構成（ロック時）を示す略線図である。
【図６】ロック時の爪部と第１ギアを示す略線図である。
【図７】第２ロック機構のロックが解除されたときの動きの説明にともなう略線図である。
【図８】第２ロック機構によりオートロックされるときの動きの説明にともなう略線図である。
【図９】第２ロック機構が不正にロック解除されようとしたときの動きの説明にともなう略線図である。
【図１０】他の実施の形態における第２ロック機構の構成を示す略線図である。
【図１１】従来のオートロック機構の構成を示す略線図である。
【発明を実施するための形態】
【００２１】
以下、発明を実施するための形態（以下実施の形態とする）について、図面を用いて説明する。
【００２２】
［１．現金自動処理装置の構成］
図１に、現金処理装置１の設置例を示す。本実施の形態では、現金処理装置１が、例えば、顧客企業の各店舗（店舗Ａ、店舗Ｂ、…）に設置され、各店舗での売上金が、各店舗に設置された現金処理装置１に入金されるようになっている。
【００２３】
現金処理装置１に入金された現金は、顧客企業から委託された現金管理会社により管理されるようになっていて、実際、現金管理会社の担当者は、顧客企業の各店舗を巡回して、現金処理装置１に入金された売上金を回収するようになっている。
【００２４】
図２に、各店舗に設置される現金処理装置１の筐体１Ａ内部の構成を示す。尚、以下の説明では、現金処理装置１の正面から見て左側（図中手前側）を現金処理装置１の左側、現金処理装置１の正面から見て右側（図中奥側）を現金処理装置１の右側とする。
【００２５】
また、現金処理装置１の左側から右側への方向を右方向、現金処理装置１の右側から左側への方向を左方向、現金処理装置１の下側から上側への方向を上方向、現金処理装置１の上側から下側への方向を下方向、現金処理装置１の奥側から手前側への方向を前方向、現金処理装置１の手前側から奥側への方向を後ろ方向とする。
【００２６】
現金処理装置１の筐体１Ａ内には、制御部１０、入出金部１１、鑑別部１２、一時保留部１３、紙幣カセット１４Ａ〜１４Ｄ、リジェクトカセット１５及び搬送路１６Ａ〜１６Ｍが設けられて入る。
【００２７】
具体的に、筐体１Ａ内部の上側には、その前部に入出金部１１が設けられ、さらに入出金部１１の下方に鑑別部１２が設けられている。さらに、入出金部１１の後方に一時保留部１３が設けられ、さらに一時保留部１３の下方にリジェクトカセット１５が設けられている。一方、筐体１Ａ内部の下側には、紙幣カセット１４Ａ〜１４Ｄが前後方向に並べて設けられている。
【００２８】
そして、これら入出金部１１、鑑別部１２、一時保留部１３、紙幣カセット１４Ａ〜１４Ｄ及びリジェクトカセット１５は、搬送路１６Ａ〜１６Ｍにより接続されている。
【００２９】
尚、図２では、説明の都合上、制御部１０を筐体１Ａの上方に図示しているが、実際には、筐体１Ａ内の所定箇所に設けられているものである。
【００３０】
さらに、一時保留部１３は、その左右両側面（図中手前側と奥側）に、前方に延びるスライドレール２０Ｌ、２０Ｒが設けられている。一方、筐体１Ａの上側後部には、一時保留部１３の左右のスライドレール２０Ｌ、２０Ｒと対向する位置に、それぞれ前後方向に延びるレールガイド２１Ｌ、２１Ｒが設けられていて、このレールガイド２１Ｌ、２１Ｒに、それぞれ一時保留部１３のスライドレール２０Ｌ、２０Ｒが嵌合されている。
【００３１】
これにより、一時保留部１３は、図３に示すように、左右のレールガイド２１Ｌ、２１Ｒに沿って、後方にスライドすることができるようになっている。
【００３２】
尚、筐体１Ａの上側後部の後面には、一時保留部１３を引き出す為の開口２２が設けられていて、この開口２２から、一時保留部１３を後方に引き出すことができるようになっている。
【００３３】
また、筐体１Ａの上側後部の上面には、リジェクトカセット１５を取り出す為の取出口２３が設けられている。リジェクトカセット１５の取り出し方については後述する。この取出口２３は、一時保留部１３が、筐体１Ａに装着されているときには、一時保留部１３の上面によって塞がれることで閉じていて、一時保留部１３を後方にスライドさせると、これにともなって開いていくようになっている。
【００３４】
実際、一時保留部１３は、リジェクトカセット１５の上方の位置（これを装着位置とも呼ぶ）に装着され、図示しない第１ロック機構でロックされることにより固定されている。そして、一時保留部１３は、この第１ロック機構のロックが解除されると、後方にスライド可能な状態となる。
【００３５】
ここで、一時保留部１３を後方にスライドさせ、途中までスライドさせると、図３に示すように、このとき、左側のレールガイド２１Ｌに嵌合されているスライドレール２０Ｌが、第２ロック機構２４でロックされることにより、それ以上、後方にはスライドできない状態となる。
【００３６】
尚、途中までスライドさせるということは、一時保留部１３の一部が筐体１Ａ外に引き出されて、取出口２３の一部が開くまで一時保留部１３を引き出すことを意味する。
【００３７】
このとき、取出口２３の開いている部分から、筐体１Ａ内の搬送路１６Ｄなどが露出する。また、途中までスライドさせた一時保留部１３を、引き出すときとは逆方向（すなわち前方）にスライドさせれば、再び、筐体１Ａ内の装着位置に戻すことができる。
【００３８】
また一方で、第２ロック機構２４によるロックを解除すれば、図４に示すように、途中までスライドさせた一時保留部１３を、さらに後方にスライドさせて、最後までスライドさせることができる。
【００３９】
尚、最後までスライドさせるということは、一時保留部１３の全体が筐体１Ａ外に引き出されて、取出口２３が全開するまで、一時保留部１３を引き出すことを意味する。このときの一時保留部１３の位置を引出完了位置とも呼ぶ。
【００４０】
また、現金処理装置１は、このようにして、リジェクトカセット１５の上方に装着されている一時保留部１３の全体を筐体１Ａの外までスライドさせて、取出口２３を全開させることで、リジェクトカセット１５を上方に引き上げて、取出口２３から取り出すことができるようになっている。
【００４１】
さらに、現金処理装置１では、引出完了位置までスライドさせた一時保留部１３を、引き出すときとは逆方向（すなわち前方）にスライドさせることで、一時保留部１３を再び筐体１Ａ内の装着位置に戻すことができる。
【００４２】
尚、このように、引出完了位置までスライドさせた一時保留部１３を装着位置に戻す場合、第２ロック機構２４は、一時保留部１３を前方にスライドさせている途中で、オートロックするようになっている。
【００４３】
現金処理装置１の筐体１Ａ内部は上述の構成でなり、制御部１０が各部を制御して、紙幣の入金及び出金を行うようになっている。
【００４４】
すなわち、現金処理装置１は、例えば、顧客企業の各店舗の売上金である紙幣が、各店舗の店員により、入出金部１１の入出金口１１Ａに投入されると、入出金部１１で投入された紙幣を１枚ずつ分離し、搬送路１６Ａを介して鑑別部１２に送る。
【００４５】
鑑別部１２に送られた紙幣は、鑑別部１２で金種、真偽を鑑別され、真券と判断された紙幣は、搬送路１６Ｃ、１６Ｄを順次介して一時保留部１３に送られ、そこに集積される。一方で、鑑別部１２で真券と判断されなかった紙幣は、搬送路１６Ｃ、１６Ｅを順次介して、入出金部１１に送られ、そこに集積される。
【００４６】
その後、取引が確定すると、現金処理装置１は、一時保留部１３に集積されている紙幣を１枚ずつ分離し、搬送路１６Ｄ、１６Ｃを順次介して再び鑑別部１２に送る。
【００４７】
鑑別部１２に送られた紙幣は、鑑別部１２で再び金種、真偽を鑑別され、真券と判断された紙幣は、搬送路１６Ｂ、１６Ｆを順次介して、金種ごとに搬送路１６Ｈ〜１６Ｋの何れかに振り分けられ、金種ごとに指定された紙幣カセット１４Ａ〜１４Ｄの何れかに送られ、そこに集積される。一方で、鑑別部１２で真券と判断されなかった紙幣は、搬送路１６Ｂ、１６Ｆ、１６Ｇ、１６Ｌを順次介して、リジェクトカセット１５に送られ、そこに集積される。
【００４８】
このようにして、現金処理装置１は、紙幣の入金を行うようになっている。
【００４９】
ところで、この現金処理装置１の場合、現金管理を現金管理業者が行うようになっている為、紙幣カセット１４Ａ〜１４Ｄ及びリジェクトカセット１５に集積された紙幣については、現金管理業者の担当者のみがアクセスできるようにして、各店舗の店員がアクセスできないようにする必要がある。
【００５０】
一方で、現金処理装置１では、売上金の入金時に、一時保留部１３へと通じる搬送路１６Ｄにジャム（紙幣詰まり）が発生することがあり、このジャムについては、売上金の入金に支障をきたす為、各店舗の店員が除去できるようにすることが望ましい。
【００５１】
そこで、現金処理装置１では、まず、一時保留部をロックする第１ロック機構と第２ロック機構２４のうち、第１ロック機構については、例えば、その鍵を、現金管理業者の担当者と各店舗の店員との両方に渡すことにより、現金管理業者の担当者と各店舗の店員のそれぞれが、ロック解除できるようにした。
【００５２】
一方で、第２ロック機構２４については、例えば、その鍵を、現金管理業者の担当者のみに渡すことにより、現金管理業者の担当者のみがロック解除できるようにした。
【００５３】
こうすることで、現金管理業者の担当者は、第１ロック機構と第２ロック機構２４のロックを解除して、筐体１Ａに装着されている一時保留部１３を引出完了位置までスライドさせて、リジェクトカセット１５を取り出すことができる。
【００５４】
一方で、各店舗の店員は、第１ロック機構を解除して、筐体１Ａに装着されている一時保留部１３を途中までスライドさせることで、取出口２３の一部を開けて、搬送路１６Ｄを露出させることができる。これにより、各店舗の店員は、搬送路１６Ｄのジャムを除去することができる。
【００５５】
［２．第２ロック機構の構成］
次に、一時保留部１３をスライド範囲の途中（すなわち装着位置と引出完了位置との間）の所定位置でロックさせる為の第２ロック機構２４について、詳しく説明する。
【００５６】
図５に示すように、第２ロック機構２４は、筐体１Ａ側に固定された錠ユニット２４Ａと、一時保留部１３側に固定されるラックギア（詳しくは後述する）２４Ｂとで構成される。
【００５７】
筐体１Ａ側に固定される錠ユニット２４Ａは、直方体形状のケース３０と、このケース３０内に収容される内部機構３１とで構成されている。
【００５８】
錠ユニット２４Ａは、ケース３０の長手方向を上下方向とする向きで、左側のレールガイド２１Ｌの上方に固定されていて、このレールガイド２１Ｌにスライドレール２０Ｌが嵌合されているときに、このスライドレール２０Ｌの真上に位置するようになっている。
【００５９】
ケース３０内に収容される内部機構３１は、錠部３２と、爪部３３と、第１ギア３４、第２ギア３５とが、上下方向に並べて配置されている。
【００６０】
最上部に位置する錠部３２は、錠シリンダ４０と、錠プレート４１で構成されている。錠シリンダ４０は、例えば、左右方向に平行な二重の筒でなり、二重の筒の一端側に鍵穴Ｋｈが設けられ、この鍵穴Ｋｈが、ケース３０の左側面から外に露出するようにしてケース３０に固定されている。
【００６１】
この錠シリンダ４０は、鍵穴Ｋｈに正しい鍵が挿入されると、内側の筒を所定方向（図中時計回り方向）に回転可能な状態となり、鍵穴Ｋｈに挿入した鍵を所定方向（図中時計回り方向）に回転させることで、錠部３２を開錠できるようになっている。
【００６２】
一方、錠プレート４１は、幅広部４１Ａと幅狭部４１Ｂとでなる略凸字状の板状部材を幅広部４１Ａと幅狭部４１Ｂとの境でへの字型に折り曲げたような形状となっている。この錠プレート４１は、錠シリンダ４０の内側の筒の他端側に幅広部４１Ａが固定されていて、内側の筒と共に回転するようになっている。
【００６３】
尚、錠プレート４１は、幅狭部４１Ｂが、錠シリンダ４０の外側の筒より下方に突出するようにして、錠シリンダ４０に固定されている。
【００６４】
このような構成の錠部３２の下に位置する爪部３３は、全体として板状部材をコの字型に折り曲げたような形状でなり、コの字の上辺に相当する側面板部３３Ｌの中央と、コの字の下辺に相当する側面板部３３Ｒの中央とに、それぞれ、ケース３０に取り付けられた左右方向に平行な１本の軸４２が挿通されることで、ケース３０に回転自在に支持されている。
【００６５】
このとき、爪部３３は、コの字の上辺に相当する側面板部３３Ｌが左側、コの字の下辺に相当する側面板部３３Ｒが右側となる向きで、支持されていることになる。ゆえに、ここでは、左側の側面板部３３Ｌを左側面板部３３Ｌと呼び、右側の側面板部３３Ｒを右側面板部３３Ｒと呼ぶことにする。
【００６６】
また、この爪部３３は、コの字の中辺に相当する側面板部３３Ａが、錠部３２が施錠されているときに、爪部３３の下に位置する第１ギア３４と噛み合う爪３３Ａとなっている。尚、ここでは、この爪３３Ａが軸４２より前側に位置する向きを、爪部３３の基準の向きとして、各部の位置関係を説明する。
【００６７】
さらに、この爪部３３は、右側面板部３３Ｒ上面の先端部分に、左側面板部３３Ｌへ向かう方向（すなわち左方向）に延びる板状のプレート当接部３３Ｂが設けられている。このプレート当接部３３Ｂは、軸４２より上側に位置するようになっていて、詳しくは後述するが、錠部３２が開錠されたときに、錠プレート４１の幅狭部４１Ｂと当接するようになっている。
【００６８】
さらに、爪部３３は、左側面板部３３Ｌと右側面板部３３Ｒとの間となる、軸４２の内側に、トーションスプリング４３が嵌入されている。
【００６９】
トーションスプリング４３は、中空のコイル部４３Ａと、このコイル部から延びる２本のアーム部４３Ｂ、４３Ｃとでなり、２本のアーム部４３Ｂ、４３Ｃを近づけることで圧縮されるバネである。
【００７０】
このトーションスプリング４３は、コイル部４３Ａが軸４２に嵌入され、上側のアーム部４３Ｂが、錠シリンダ４０の外側の筒の側面に当接すると共に、下側のアーム部４３Ｃが、爪３３Ａの上端部に当接するようになっている。
【００７１】
このトーションスプリング４３によって、爪部３３には、錠シリンダ４０の外側の筒の側面と、爪３３Ａの上端部とを遠ざけようとする矢印Ａで示す方向に力が加えられ、このような力によって、爪部３３は、矢印Ａで示す図中時計回り方向へ回転するよう付勢されている。
【００７２】
このような構成の爪部３３の下に位置する第１ギア３４は、円筒の側面に所定数の歯４４が形成された、所謂インボリュート歯車でなり、ケース３０に取り付けられている左右方向に平行な１本の軸４５が中心に挿通されることで、ケース３０に対して回転自在に支持されている。
【００７３】
また、この第１ギア３４は、歯４４間の窪み４６が、爪部３３の爪３３Ａの厚さより大きく、錠部３２が施錠されているとき、窪み４６の１つに爪３３Ａが差し込まれて、爪３３Ａと噛み合うことができるようになっている。
【００７４】
尚、第１ギア３４は、爪３３Ａと噛み合うときに、歯４４が爪部３３の左側面板部３３Ｌと右側面板部３３Ｒとに干渉しないよう、歯４４の厚さが、左側面板部３３Ｌと右側面板部３３Ｒとの隙間より薄く、歯４４が、左側面板部３３Ｌと右側面板部３３Ｒとの間に位置するようになっている。
【００７５】
さらに、この第１ギア３４は、図６に示すように、爪部３３の軸４２の中心から爪３３Ａの下端までの長さを半径とする円によって表される爪３３Ａの下端の回転軌道Ｌ１と、第１ギア３４の軸４５の中心から窪み４６の底までの長さを半径とする円で表される窪み４６の底の回転軌道Ｌ２とが、交差するように、軸４５の位置が選定されている。
【００７６】
これにより、錠部３２が施錠されているとき、トーションスプリング４３の付勢力により図中時計回り方向に回転しようとする爪３３Ａの下端が、第１ギア３４の上端に位置する窪み４６に差し込まれる。
【００７７】
このとき、爪部３３の爪３３Ａは、第１ギア３４の軸４５より前側に位置する窪み４６に差し込まれ、爪３３Ａの下端の回転軌道Ｌ１と窪み４６の底の回転軌道Ｌ２が交差していることにより、爪３３Ａの下端が窪み４６の底に当接する。
【００７８】
その後も、爪部３３は、トーションスプリング４３の付勢力によって図中矢印Ａで示す時計回り方向に回転しようとするが、それ以上、回転しようとすると、爪３３Ａの下端の回転軌道Ｌ１が、窪み４６の底の回転軌道Ｌ２の内側に入り込んでしまう為、回転できない。
【００７９】
また、第１ギア３４を、図中反時計回り方向に回転させようとしても、同様に、窪み４６の底の回転軌道Ｌ２の内側に、爪３３Ａの下端の回転軌道Ｌ１が入り込もうとする為、第１ギア３４を回転させることはできない。
【００８０】
一方で、第１ギア３４を、反対の図中時計回り方向に回転させようとすると、このとき、爪３３Ａの下端の回転軌道Ｌ１が、窪み４６の回転軌道Ｌ２の外側に外れていく為、第１ギア３４を回転させることができる。
【００８１】
このように、第１ギア３４は、錠部３２が施錠されているときには、一方向（図中時計回り方向）にしか回転できないようになっている。
【００８２】
また、第１ギア３４は、錠部３２が開錠されると、他方向（図中反時計回り方向）にも回転できるようになっている。このときの各部の動きについては、後述する。
【００８３】
図５に示すように、このような構成の第１ギア３４の下に位置する第２ギア３５は、第１ギア３４と同形同サイズでなり、ケース３０に取り付けられている左右方向に平行な１本の軸４７が中心に挿通されることで、ケース３０に対して回転自在に支持されている。
【００８４】
この第２ギア３５は、第１ギア３４の真下に位置していて、第１ギア３４と噛み合うことで、第１ギア３４とは逆方向に回転するようになっている。
【００８５】
また、上述したように、錠部３２が施錠されているときには、第１ギア３４が図中時計回り方向にしか回転できない為、このとき、第１ギア３４と噛み合っている第２ギア３５は、第１ギア３４とは逆方向（すなわち図中反時計回り方向）にしか回転できないようになっている。
【００８６】
さらに、この第２ギア３５は、ケース３０の底面に設けられた開口４８から、軸４７の下方に位置する数本の歯４９のみが外に露出するようになっている。
【００８７】
錠ユニット２４Ａは、このような構成となっている。
【００８８】
一方、ラックギア２４Ｂは、一時保留部１３の左側のスライドレール２０Ｌの上面の先端部に固定されている。このラックギア２４Ｂは、所定数の歯５０がスライドレール２０Ｌに沿って直線状に形成されたギアである。
【００８９】
ラックギア２４Ｂは、一時保留部１３がスライドする途中で、錠ユニット２４Ａの下端から突出する第２ギア３５に当接するようになっていて、また、詳しくは後述するが、錠ユニット２４Ａが開錠され、錠ユニット２４Ａの第２ギア３５が図中時計回り方向に回転できるようになった状態で一時保留部１３が引き出されたときに、第２ギア３５と噛み合うようになっている。
【００９０】
ラックギア２４Ｂは、このような構成となっている。
【００９１】
［３．第２ロック機構の動作］
次に、第２ロック機構２４の動作について、詳しく説明する。まず、ロックしているときの、第２ロック機構２４について説明する。
【００９２】
図５に示したように、ロックしているとき、すなわち錠ユニット２４Ａの錠部３２が施錠されているとき、錠ユニット２４Ａでは、爪部３３の爪３３Ａが、第１ギア３４の窪み４６に食い込んでいることにより、第１ギア３４の回転が図中時計回り方向に制限され、これにともなって、第２ギア３５の回転が図中反時計回り方向に制限される。
【００９３】
ここで、第１ロック機構が開錠されると、一時保留部１３は、装着位置から後方にスライド可能な状態となる。
【００９４】
尚、一時保留部１３が、装着位置に在るとき、一時保留部１３のスライドレール２０Ｌ、２０Ｒの先端は、錠ユニット２４Ａの前方に位置する。
【００９５】
つまり、このときのスライドレール２０Ｌの先端に固定されているラックギア２４Ｂの位置は、錠ユニット２４Ａのケース３０の下端から突出している第２ギア３５から離れた位置となっている。
【００９６】
そして実際に一時保留部１３を後方にスライドさせていくと、スライドレール２０Ｌと共にラックギア２４Ｂが後方に移動していくことにより、ラックギア２４Ｂが、第２ギア３５に近づいていく。
【００９７】
さらに、一時保留部１３をスライドさせていくと、ラックギア２４Ｂの後端の歯５０が、錠ユニット２４Ａのケース３０の下端から突出している第２ギア３５の歯４９に当接する。
【００９８】
この状態でさらに、一時保留部１３を後方にスライドさせようとすると、ラックギア２４Ｂから、第２ギア３５に対して、図中時計回り方向に回転させようとする力が加えられる。
【００９９】
しかしながら、上述したように、錠ユニット２４Ａの錠部３２が施錠されている場合、第２ギア３５は、図中時計回り方向には回転できないようになっている為、それ以上、一時保留部１３を後方にスライドさせることはできない。
【０１００】
このようにして、第２ロック機構２４は、ロックしているときには、一時保留部１３を途中までしかスライドさせないようになっている。
【０１０１】
次に、第２ロック機構２４のロックを解除するときの動作について、図７を用いて説明する。第２ロック機構２４のロックを解除する為には、まず、錠ユニット２４Ａの錠シリンダ４０の鍵穴Ｋｈに正しい鍵を挿入して、鍵を図中時計回り方向に回転させる。
【０１０２】
これにともなって、錠プレート４１が、図中時計回り方向に回転する。このとき、錠プレート４１は、爪部３３のプレート当接部３３Ｂに当接して、爪部３３をトーションスプリング４３による付勢力に逆らって図中反時計回り方向に回転させる。
【０１０３】
このとき、錠プレート４１は、爪部３３の爪３３Ａの下端が第１ギア３４の窪み４６から外れて、第１ギア３４の軸４５の中心から歯４４の先までの長さを半径とする円で表される歯４４の先の回転軌道Ｌ３の外側に位置するまで、爪部３３を回転させる。
【０１０４】
すなわち、錠プレート４１は、爪部３３を、第１ギア３４の回転に干渉しない位置まで回転させる。
【０１０５】
これにより、第１ギア３４は、図中時計回り方向だけでなく、反時計回り方向にも回転できるようになり、これにともなって、第２ギア３５も、図中反時計回り方向だけでなく、時計回り方向にも回転できるようになる。
【０１０６】
そして、このようにして第２ギア３５の回転制限がなくなると、一時保留部１３を最後までスライドさせることができるようになる。
【０１０７】
すなわち、ラックギア２４Ｂの歯５０が、錠ユニット２４Ａのケース３０の下端から突出している第２ギア３５の歯４９に当接している状態で、さらに一時保留部１３を後方に引き出すと、ラックギア２４Ｂから、第２ギア３５に対して、図中時計回り方向に回転させようとする力が加えられる。
【０１０８】
このとき、第２ギア３５は、回転方向の制限がなくなっている為、ラックギア２４Ｂに押されて図中時計回り方向に回転することにより、ラックギア２４Ｂと噛み合う。
【０１０９】
そして、ラックギア２４Ｂは、一時保留部１３と共に、第２ギア３５を図中時計回り方向に回転させながら後方に移動して、第２ギア３５を通過する。
【０１１０】
このように、第２ギア３５の回転制限がなくなると、ラックギア２４Ｂが、第２ギア３５を回転させて通過できるようになる為、一時保留部１３を最後までスライドさせることができるようになる。
【０１１１】
このようにして、第２ロック機構２４は、ロックを解除することができ、これにより、一時保留部１３を最後まで、すなわち引出完了位置までスライドさせることができる。
【０１１２】
次に、第２ロック機構２４が解除されて、引出完了位置までスライドさせた一時保留部１３を、再び装着位置に戻すときに、第２ロック機構２４がオートロックするときの動作について図８を用いて説明する。
【０１１３】
ここでは、一時保留部１３を装着位置に戻す前に、錠部３２が鍵により再び施錠されているものとする。
【０１１４】
この状態で、一時保留部１３を、引き出し時とは逆方向（すなわち前方）にスライドさせていくと、ラックギア２４Ｂの前端の歯５０が、錠ユニット２４Ａのケース３０の下端から突出している第２ギア３５の歯４９に当接する。
【０１１５】
ここでさらに、一時保留部１３を前方にスライドさせると、ラックギア２４Ｂから、第２ギア３５に対して、図中反時計回り方向に回転させようとする力が加えられる。
【０１１６】
このとき、第２ギア３５は、錠部３２が施錠されていることにより、図中時計回り方向への回転はできないものの、図中反時計回り方向には回転できるようになっている。
【０１１７】
すなわち、この場合、第２ギア３５に、ラックギア２４Ｂから、図中反時計回り方向に回転させようとする力が加わると、これにともなって、第２ギア３５と噛みあっている第１ギア３４に、図中時計回り方向に回転させようとする力が加わる。
【０１１８】
さらに、これにともなって、第１ギア３４の窪み４６の底に爪３３Ａの下端が当接している爪部３３に、トーションスプリング４３の付勢力に逆らって、図中反時計回り方向に回転させようとする力が加わる。
【０１１９】
これにより、第１ギア３４の窪み４６に入り込んでいる爪３３Ａが、第１ギア３４の歯４４を乗り越えながら、爪部３３が図中反時計回り方向に回転すると共に、第１ギア３４が図中時計回り方向に回転し、さらに第２ギア３５が図中反時計回り方向に回転する。
【０１２０】
これにより、第２ギア３５が、ラックギア２４Ｂと噛み合う。そして、ラックギア２４Ｂは、一時保留部１３と共に、第２ギア３５を図中反時計回り方向に回転させながら前方に移動して、第２ギア３５を通過する。
【０１２１】
一旦、ラックギア２４Ｂが、第２ギア３５を通過すると、錠部３２が施錠されていることにより、一時保留部１３を後方にスライドさせようとしたときに、途中でラックギア２４Ｂが第２ギア３５に引っ掛かり、それ以上、一時保留部１３を後方にスライドさせることができなくなる。
【０１２２】
このように、第２ロック機構２４は、後方に引き出された一時保留部１３を、ラックギア２４Ｂが第２ギア３５を通過するまで前方にスライドさせるだけで、一時保留部１３を途中までしか引き出せないようにオートロックするようになっている。このように、第２ロック機構２４は、オートロック機構である。
【０１２３】
次に、不正にロックが解除されようとしたときの第２ロック機構２４の動作について、図９を用いて説明する。
【０１２４】
第２ロック機構２４のロックを不正に解除する為には、錠ユニット２４Ａを例えば鍵なしで開錠して、第２ギア３５を図中時計回り方向に回転できるようにしなくてはならない。
【０１２５】
錠ユニット２４Ａは、上述したように、ケース３０で覆われていて、このケース３０から外部に露出しているのは、第２ギア３５の歯４９（例えば２本の歯４９Ａ、４９Ｂ）のみである。
【０１２６】
ゆえに、錠ユニット２４Ａを鍵なしで開錠しようとした場合、この第２ギア３５の歯４９に何かしらの細工をしてくることが想定される。
【０１２７】
実際、例えば、ロックを不正に解除しようとする者が、第２ギア３５の歯４９を棒状の物で押すなどして、第２ギア３５を無理矢理回転させようとしたとする。
【０１２８】
ここで、例えば、第２ギア３５を、図中矢印Ｃで示す後方に押すことで、図中時計回り方向に回転させようとしたとする。このとき、錠部３２が施錠されていれば、第２ギア３５は、図中時計回り方向には回転しない。ゆえに、錠ユニット２４Ａを開錠することはできない。
【０１２９】
一方で、第２ギア３５を、図中矢印Ｂで示す前方に押すことで、図中反時計回り方向に回転させようとしたとする。このとき、錠部３２が施錠されていても、第２ギア３５は、図中時計回り方向には回転可能である為、オートロック時と同様にして図中時計回り方向に回転する。
【０１３０】
また、このとき、第２ギア３５の回転にともなって、第１ギア３４が図中時計回り方向に回転し、さらにこの第１ギア３４の回転にともなって、第１ギア３４の窪み４６（例えば窪み４６Ａ）に入り込んでいる爪３３Ａが第１ギア３４の歯４４（例えば歯４４Ａ）を乗り越えるように、爪部３３が図中反時計回り方向に回転する。
【０１３１】
そして、第１ギア３４が１歯分回転すると、トーションスプリング４３の付勢力により、このとき爪３３Ａが歯４４Ａを乗り越えて次の窪み４６Ｂに入り込み、爪３３Ａの下端が窪み４６Ｂの底に当接することにより、再び第１ギア３４は、図中反時計回り方向には回転できないようにロックされる。
【０１３２】
また、このとき、第２ギア３５も１歯分回転することにより、ケース３０から露出していた歯４９Ａがケース３０内に入り込み、代わりに、歯４９Ｃが外部に露出する。そして、このとき、第２ギア３５についても、第１ギア３４がロックされることにともなって、図中時計回り方向には回転できないようにロックされる。
【０１３３】
このように、第２ギア３５を、図中矢印Ｂで示す前方に押すことで、図中反時計回り方向に回転させたとしても、１歯分回転するごとに、図中時計回り方向には回転できないようにロックされる。ゆえに、第２ギア３５を、図中反時計回り方向に幾ら回転させても、結局のところ、第２ギア３５を、図中時計回り方向に回転できるようにすることはできない。つまり、錠ユニット２４Ａを開錠することはできない。
【０１３４】
このように、第２ロック機構２４は、その一部（第２ギア３５）が外部に露出していて外部からアクセス可能な状態であるにも関わらず、ロックを不正に解除できないようになっている。
【０１３５】
一方で、第２ロック機構２４は、爪部３３を、鍵による開錠以外の方法で、トーションスプリング４３の付勢力に逆らう方向に回転させられてしまうと、不正にロックを解除できてしまうことになる。
【０１３６】
そこで、第２ロック機構２４は、爪部３３の下に第１ギア３４、さらにその下に第２ギア３５を配置して、第２ギアの下端の歯４９が、ケース３０の下端の開口４８から露出するようにした。
【０１３７】
このように、第２ロック機構２４は、第２ギア３５と爪部３３との間に第１ギア３４が介在していることにより、爪部３３をケースの開口４８から遠ざけて、開口４８から棒状の物を挿入するなどして爪部３３を無理矢理回転させるような、爪部３３への不正なアクセスを極力防ぐことができるようになっている。
【０１３８】
［４．本実施の形態による効果］
上述したように、第２ロック機構２４は、筐体１Ａ側に固定される錠ユニット２４Ａの第２ギア３５の回転方向を一方向に制限するようにした。
【０１３９】
さらに、第２ロック機構２４は、一時保留部１３を装着位置から引出方向（後方）にスライドさせるときに、スライドの途中で、一時保留部１３側に固定されているラックギア２４Ｂが、第２ギア３５に当接するようにした。
【０１４０】
このとき、ラックギア２４Ｂが、第２ギア３５を他方向に回転させようとするが、第２ギア３５の回転方向が一方向に制限されている為、回転させることができず、これにより、一時保留部１３は、それ以上スライドできなくなる。
【０１４１】
こうすることで、第２ロック機構２４は、一時保留部１３を引出方向にスライドさせるときに、スライド範囲の途中までしかスライドできないようにロックすることができる。
【０１４２】
また、第２ロック機構２４は、鍵により開錠されると、第２ギア３５の回転方向の制限を解除するようにした。
【０１４３】
これにより、ラックギア２４Ｂが、第２ギア３５を他方向に回転させて通過できるようになり、一時保留部１３の引出方向へのスライドに対するロックが解除され、一時保留部１３を引出方向にスライド範囲の最後まで（引出完了位置まで）スライドできるようになる。
【０１４４】
さらに、第２ロック機構２４は、ラックギア２４Ｂが第２ギア３５を通過するまで引き出された一時保留部１３を、引出方向とは逆の装着方向（前方）にスライドさせるときに、スライドの途中で、一時保留部１３側に固定されているラックギア２４Ｂが、再び、第２ギア３５に当接するようにした。
【０１４５】
このとき、ラックギア２４Ｂが、回転方向が一方向に制限されている第２ギア３５を一方向に回転させ、第２ギア３５を通過する。
【０１４６】
このようにして、ラックギア２４Ｂが一旦第２ギア３５を通過すると、第２ギア３５の回転方向が一方向に制限されている為、第２ロック機構２４は、一時保留部１３を引出方向にスライドさせるときに、スライド範囲の途中までしかスライドできないように、再びロックすることができる。
【０１４７】
このように、第２ロック機構２４は、一時保留部１３を引出方向とは逆の装着方向にスライドさせていくだけで、その途中で、自動的にロックする（すなわちオートロックする）ことができる。
【０１４８】
さらに、第２ロック機構２４は、第２ギア３５の一部と、ラックギア２４Ｂが外部に露出していることにより、外部からアクセス可能となっている。
【０１４９】
ここで、第２ロック機構２４のロックを不正に解除しようとして、例えば、第２ギア３５を一方向に回転させたとする。このとき、第２ギア３５の回転にともなって、第１ギア３４と、爪部３３が回転することになるが、爪部３３には常に、爪３３Ａが第１ギア３４の窪み４６に食い込んで第１ギア３４の回転方向を一方向に制限するようにトーションスプリング４３により付勢されている。
【０１５０】
したがって、第２ギア３５を、いくら一方向に回転させようとしても、第１ギア３４及び第２ギア３５の回転方向の制限を解除することはできない為、第２ロック機構２４のロックを解除することはできない。
【０１５１】
また、一方で、第２ギア３５を、一方向とは逆の他方向に回転させようとしても、ロックを解除しない限り、第２ギア３５の回転方向が一方向に制限されている為、回転させることはできない。
【０１５２】
このように、第２ロック機構２４は、外部に露出している第２ギア３５を無理矢理回転させても、ロックを解除することはできない。
【０１５３】
また、現金処理装置１では、第２ロック機構２４のロックがかかっている状態では、一時保留部１３を途中までしか引き出すことができないが、途中まで引き出したときに、一時保留部１３に通じる搬送路１６Ｄなどが外部に露出するようになっている。
【０１５４】
これにより、現金処理装置１では、第２ロック機構２４を解除する権限を有していない、各店舗の店員でも、搬送路１６Ｄのジャムを除去したりすることができる。
【０１５５】
かくして、現金処理装置１では、例えば、ジャムを除去する為だけに、わざわざ現金管理業者の担当者を店舗まで呼び出す必要がなく、メンテナンス性が向上する。
【０１５６】
また、各店舗の店員は、あくまで搬送路１６Ｄのジャムを除去したりすることができるだけであり、一時保留部１３を引出完了位置まで引き出してリジェクトカセット１５を取り出したりすることはできない。これにより、現金処理装置１は、入金された紙幣に対するセキュリティを十分確保できる。
【０１５７】
以上の構成によれば、現金処理装置１の第２ロック機構２４は、オートロック機構でなり、さらにケース３０から一部が露出している第２ギア３５を無理矢理回転させてもロックを解除することはできない為、機構全体を覆うようなカバーを必要とせずに不正にロックが解除されることを防止できる。かくして、第２ロック機構２４は、大型化せずともセキュリティを十分確保できる。
【０１５８】
［５．他の実施の形態］
［５−１．他の実施の形態１］
尚、上述した実施の形態では、第２ロック機構２４を、第１ギア３４と第２ギア３５の２個のギアを有する構成とした。
【０１５９】
これに限らず、例えば、第２ロック機構２４を、第１ギア３４又は第２ギア３５の何れか１個のみを有する構成としてもよい。このようにすれば、ギアを１個減らした分、第２ロック機構２４の錠ユニット２４Ａをさらに小型化できる。
【０１６０】
また、これに限らず、ギアの数を３個以上として、３個以上のギアをケース３０内に上下方向に並べて配置するようにしてもよい。このようにすれば、第２ロック機構２４を小型化することは難しくなるが、その分、より一層確実に、爪部３３への不正なアクセスを防ぐことができる。
【０１６１】
［５−２．他の実施の形態２］
また、上述した実施の形態では、スライドレール２０Ｌの上面の先端部にラックギア２４Ｂが固定されていて、このラックギア２４Ｂと、ケース３０の下端の開口４８から突出する第２ギア３５の歯４９が、外部に露出する部分となっていた。
【０１６２】
これに限らず、図１０に示すように、スライドレール２０Ｌの上面の前端から後端にかけて、第２ギア３５の歯４９の厚さ以上の幅で、且つラックギア２４Ｂの全体が収まる程度の深さを有する溝６０を設け、この溝６０内に、ラックギア２４Ｂを固定するようにしてもよい。
【０１６３】
この場合、一時保留部１３がスライドする間、常にこの溝６０内にケース３０の下端の開口４８から突出する第２ギア３５の歯４９が入り込んだ状態となるように、錠ユニット２４Ａ及びレールガイド２１Ｌの上下方向の位置を調整する。
【０１６４】
こうすることで、ケース３０の下端の開口４８から突出する第２ギア３５の歯４９は、溝６０内に入り込んでいることにより隠蔽され、またラックギア２４Ｂも、溝６０内に設けられていることにより、外部に露出する部分が少なくなる。
【０１６５】
このようにすれば、第２ギア３５への不正なアクセスがしづらくなり、上述した実施の形態と比して、一段とセキュリティを向上させることができる。
【０１６６】
［５−３．他の実施の形態３］
さらに、上述した実施の形態では、筐体１Ａの左側のレールガイド２１Ｌ上にのみ、第２ロック機構２４を設けるようにしたが、右側のレールガイド２１Ｒ上にのみ、第２ロック機構２４を設けるようにしてもよいし、両側に設けるようにしてもよい。
【０１６７】
［５−４．他の実施の形態４］
さらに、上述した実施の形態では、第２ロック機構２４を、筐体１Ａに対してスライド可能な一時保留部１３をスライド範囲の途中でロックする為のオートロック機構として、現金処理装置１に設けた。
【０１６８】
これに限らず、第２ロック機構２４は、現金処理装置１以外にも、装置本体に対して可動可能な可動部を有する装置であれば、可動部を可動範囲の途中でロックする為のオートロック機構として利用することができる。
【０１６９】
［５−５．他の実施の形態５］
さらに、上述した実施の形態では、第２ロック機構２４の錠ユニット２４Ａを筐体１Ａ側に固定すると共に、ラックギア２４Ｂをスライド可能な一時保留部１３側に固定するようにした。
【０１７０】
これに限らず、例えば、錠ユニット２４Ａとラックギア２４Ｂの固定先を逆にして、錠ユニット２４Ａを一時保留部１３のスライドレール２０Ｌに固定すると共に、ラックギア２４Ｂを筐体１Ａに固定するようにしてもよい。このようにした場合も、上述した実施の形態と同様の効果を得ることができる。
【０１７１】
［５−６．他の実施の形態６］
さらに、ここまでの説明では、係合部の具体的な例として、ラックギア２４Ｂを用いるようにしたが、これに限らず、ラックギア２４Ｂと同様に機能するものであれば、ラックギア２４Ｂとは異なる係合部を用いるようにしてもよい。
【０１７２】
例えば、第２ギア３５と当接する板金部材を、ラックギア２４Ｂの代わりに、スライドレール２０Ｌの上面に上方に突出するように固定するなどしてもよい。
【０１７３】
さらに、ここまでの説明では、付勢部の具体的な例として、トーションスプリング４３を用いるようにしたが、これに限らず、トーションスプリング４３と同様に機能するものであれば、トーションスプリング４３とは異なる付勢部を用いるようにしてもよい。
【０１７４】
さらに、ここまでの説明では、回転することで、爪３３Ａを第１ギア３４の窪み４６に入り込ませて第１ギア３４の回転方向を制限したり、爪３３Ａを窪み４６から遠ざけて第１ギア３４の回転方向の制限を解除したりする機能部として爪部３３を用いるようにした。
【０１７５】
これに限らず、可動することで、第１ギア３４の回転方向を制限したり、その制限を解除したりできるものであれば、爪部３３とは異なる構成のものを爪部３３の代わりに用いるようにしてもよい。
【０１７６】
さらに、ここまでの説明では、媒体処理部の具体的な例として、制御部１０、入出金部１１、鑑別部１２、一時保留部１３、紙幣カセット１４Ａ〜１４Ｄ、リジェクトカセット１５及び搬送路１６Ａ〜１６Ｍを用いるようにしたが、これに限らず、媒体を処理するものであれば、制御部１０、入出金部１１、鑑別部１２、一時保留部１３、紙幣カセット１４Ａ〜１４Ｄ、リジェクトカセット１５及び搬送路１６Ａ〜１６Ｍ以外の媒体処理部を用いるようにしてもよい。
【０１７７】
［５−７．他の実施の形態７］
さらに、上述した実施の形態では、本発明を、オートロック機構としての第２ロック機構２４を有する媒体収納装置としての現金処理装置１に適用したが、本発明は、これに限らず、オートロック機構を有する装置であれば、現金処理装置１以外の媒体処理装置に適用してもよい。
【０１７８】
また、上述した実施の形態では、本発明を、紙幣を扱う現金処理装置１に適用したが、これに限らず、紙、切符など、紙幣以外の媒体を扱う媒体処理装置であっても、オートロック機構を有する媒体処理装置であれば、適用することができる。
【０１７９】
［５−８．他の実施の形態８］
さらに、本発明は、上述した実施の形態と、他の実施の形態とに限定されるものではない。すなわち本発明は、上述した実施の形態と他の実施の形態の一部または全部を任意に組み合わせた実施の形態や、一部を抽出した実施の形態にもその適用範囲が及ぶものである。
【産業上の利用可能性】
【０１８０】
本発明は、可動部を有していて、可動部を可動範囲の途中でロックする必要のある種々の装置で利用できる。
【符号の説明】
【０１８１】
１…………現金処理装置、１Ａ……筐体、１３……一時保留部、２０……スライドレール、２１……レールガイド、２４……第２ロック機構、２４Ａ……錠ユニット、２４Ｂ……ラックギア、３０……ケース、３２……錠部、３３……爪部、３３Ａ……爪、３４……第１ギア、３５……第２ギア、４３……トーションスプリング、４４、４９、５０……歯、４６……窪み。
【図１】
2015045149.tif 000003
【図２】
2015045149.tif 000004
【図３】
2015045149.tif 000005
【図４】
2015045149.tif 000006
【図５】
2015045149.tif 000007
【図６】
2015045149.tif 000008
【図７】
2015045149.tif 000009
【図８】
2015045149.tif 000010
【図９】
2015045149.tif 000011
【図１０】
2015045149.tif 000012
【図１１】
2015045149.tif 000013